(57)【要約】【課題】好適に衝撃吸収を行うことのできる衝撃吸収機構を提供する。【解決手段】衝撃吸収機構２は車両に加わる衝突荷重を軽減させるためのものであり、衝突荷重を受けるバンパーリインフォース１１と衝突荷重がバンパーリインフォース１１から伝達されるサイドメンバ９の間に設けられる。衝撃吸収機構２は、木製の柱状の衝撃吸収材１とボルト３とを有する。衝撃吸収材１は被覆され、その後端部はサイドメンバ９の筒状部分の内部空間に挿入される。ボルト３はサイドメンバ９に連結され、衝撃吸収材１の後端面の後方に配置される。衝撃吸収材１の後端面の被覆１ａにはボルト３に沿った方向の切込み１５が設けられる。【選択図】図２
2020085126.tif 000002
【特許請求の範囲】
【請求項１】
車両に加わる衝突荷重を軽減するための衝撃吸収機構であって、
衝突荷重を受ける荷重受け部材と前記衝突荷重が前記荷重受け部材から伝達される被伝達部材の間に設けられ、
部材軸方向の一方の端部が前記荷重受け部材と前記被伝達部材のうち一方の部材の内部空間に挿入された木製の柱状の衝撃吸収材と、
前記一方の部材に連結された第１の連結材と、
を具備し、
衝突時に前記第１の連結材が前記衝撃吸収材の前記一方の端部の端面の一部を押圧し、
前記衝撃吸収材の当該端面が被覆され、当該端面の被覆に前記第１の連結材に沿った方向の第１の切込みが設けられることを特徴とする衝撃吸収機構。
【請求項２】
前記第１の連結材は、前記荷重受け部材と前記被伝達部材のうち他方の部材に面した平面部または凹面部を有し、
前記第１の切込みが、前記平面部または凹面部の両側に当たる位置で形成されたことを特徴とする請求項１記載の衝撃吸収機構。
【請求項３】
前記第１の切込みの長手方向の形状が、直線状であることを特徴とする請求項１または請求項２に記載の衝撃吸収機構。
【請求項４】
前記第１の切込みの長手方向の形状が、波状であることを特徴とする請求項１または請求項２に記載の衝撃吸収機構。
【請求項５】
前記衝撃吸収材の部材軸方向の他方の端部は、前記荷重受け部材と前記被伝達部材のうち他方の部材の内部空間に挿入され、
前記他方の部材に連結された第２の連結材を更に具備し、
衝突時に前記第２の連結材が前記衝撃吸収材の前記他方の端部の端面の一部を押圧し、
前記衝撃吸収材の当該端面が被覆され、当該端面の被覆に前記第２の連結材に沿った方向の第２の切込みが設けられ、
前記第１、第２の連結材は、前記衝撃吸収材の部材軸方向から見た時に異なる位置に配置され、
前記第１、第２の切込みは、前記衝撃吸収材の部材軸方向から見た時に前記第１、第２の連結材の間に設けられることを特徴とする請求項１記載の衝撃吸収機構。
【発明の詳細な説明】
【技術分野】
【０００１】
本発明は、車両に加わる衝撃を吸収する衝撃吸収機構に関する。
【背景技術】
【０００２】
車両の衝突時の衝突荷重を受けてその衝撃を吸収できるように構成された衝撃吸収機構に関する技術が、特許文献１、２に記載されている。
【０００３】
特許文献１、２には、車両前方衝突時にバンパーリインフォースがサイドメンバ側に押された際に、バンパーリインフォースとサイドメンバの間に設けた木材がボルト等の連結材に押されて圧縮するかまたはせん断が生じることで衝撃が吸収される衝撃吸収機構について記載されている。
【先行技術文献】
【特許文献】
【０００４】
【特許文献１】国際公開第2014/077314号
【特許文献２】特開2017-7598号公報
【発明の概要】
【発明が解決しようとする課題】
【０００５】
本発明者は、上記のような衝撃吸収機構の性能向上に向けて各種の新規な構成を鋭意検討している。ただし、衝撃吸収機構で重要な点は連結材が受ける衝突荷重が衝突過程において安定し、意図した衝撃吸収がなされることであり、衝撃吸収機構の性能向上のための構成と言えども、安定した衝撃吸収を阻害しない形で実現される必要がある。
【０００６】
本発明は前述した問題点に鑑みてなされたものであり、好適に衝撃吸収を行うことのできる衝撃吸収機構を提供することを目的とする。
【課題を解決するための手段】
【０００７】
前述した目的を達成するための本発明は、車両に加わる衝突荷重を軽減するための衝撃吸収機構であって、衝突荷重を受ける荷重受け部材と前記衝突荷重が前記荷重受け部材から伝達される被伝達部材の間に設けられ、部材軸方向の一方の端部が前記荷重受け部材と前記被伝達部材のうち一方の部材の内部空間に挿入された木製の柱状の衝撃吸収材と、前記一方の部材に連結された第１の連結材と、を具備し、衝突時に前記第１の連結材が前記衝撃吸収材の前記一方の端部の端面の一部を押圧し、前記衝撃吸収材の当該端面が被覆され、当該端面の被覆に前記第１の連結材に沿った方向の第１の切込みが設けられることを特徴とする衝撃吸収機構である。
【０００８】
本発明の衝撃吸収機構は、木材（衝撃吸収材）を被覆して保護し劣化を防ぐという構成を有するが、衝突時、連結材によって押圧されない木材部分はせん断変形して上記の内部空間に進入するので、単に衝撃吸収材を被覆するというだけでは、衝撃吸収材の端面の被覆が上記木材部分に引張られて連結材に加わる荷重を不安定とする要因となり、意図した衝撃吸収がなされない恐れがある。そこで、本発明では端面の被覆に上記の切込みを設けることで衝突時に被覆が早期に破断するようにし、連結材が受ける荷重が不安定になるのを防いで意図した衝撃吸収を実現することが可能になる。
【０００９】
前記第１の連結材は、前記荷重受け部材と前記被伝達部材のうち他方の部材に面した平面部または凹面部を有し、前記第１の切込みが、前記平面部または凹面部の両側に当たる位置で形成されることが望ましい。
この場合、連結材の平面部や凹面部によって大きな衝突荷重を安定して受けとめることができ、衝撃吸収効果が大きくなる。また衝撃吸収材の端面の被覆も、平面部や凹面部の両側の切込みの位置で早期に破断させることができる。
【００１０】
前記第１の切込みの長手方向の形状は、例えば直線状であるが、波状であってもよい。
切込みの長手方向の形状は、被覆の破断モードに応じて定めることができる。例えば切込みを波状とすることで、破断の仕方が単純な引張りによるものでなく局所的なせん断破壊を含む場合に被覆が破断しやすくなる可能性がある。
【００１１】
前記衝撃吸収材の部材軸方向の他方の端部は、前記荷重受け部材と前記被伝達部材のうち他方の部材の内部空間に挿入され、前記他方の部材に連結された第２の連結材を更に具備し、衝突時に前記第２の連結材が前記衝撃吸収材の前記他方の端部の端面の一部を押圧し、前記衝撃吸収材の当該端面が被覆され、当該端面の被覆に前記第２の連結材に沿った方向の第２の切込みが設けられ、前記第１、第２の連結材は、前記衝撃吸収材の部材軸方向から見た時に異なる位置に配置され、前記第１、第２の切込みは、前記衝撃吸収材の部材軸方向から見た時に前記第１、第２の連結材の間に設けられることも望ましい。
この場合、衝撃吸収材のせん断による衝撃吸収が可能になるが、せん断による衝撃吸収を行うケースでも上記のように第１、第２の切込みを設けることで、被覆を早期に破断させることができる。
【発明の効果】
【００１２】
本発明によれば、好適に衝撃吸収を行うことのできる衝撃吸収機構を提供できる。
【図面の簡単な説明】
【００１３】
【図１】衝撃吸収機構２の配置を示す概略図。
【図２】衝撃吸収機構２を示す図。
【図３】被覆１ａを示す図。
【図４】衝突荷重が加わった状態の衝撃吸収機構２を示す図。
【図５】被覆１ａの引張と破断について示す図。
【図６】バンパーリインフォース１１の変位とボルト３が受ける荷重の関係を示す図。
【図７】平面部５の例。
【図８】凹面部６の例。
【図９】ボルト３’を示す図。
【図１０】切込み１５ａ、１５ｂ、１５ｃ、１５ｄを示す図。
【図１１】切込み１５ｅ、１５ｆ、１５ｇを示す図。
【図１２】衝撃吸収機構２ａを示す図。
【図１３】衝突荷重が加わった状態の衝撃吸収機構２ａを示す図。
【発明を実施するための形態】
【００１４】
以下、図面に基づいて本発明の実施形態について詳細に説明する。
【００１５】
［第１の実施形態］
図１は本発明の実施形態に係る衝撃吸収機構２の配置を示す概略図である。衝撃吸収機構２は車両１０に設けられ、衝突時に車両１０に加わる衝撃を吸収して衝突荷重を軽減するためのものである。衝撃吸収機構２は、フロントバンパー（不図示）のバンパーリインフォース１１と車両１０のサイドメンバ９の間に配置される。
【００１６】
図１の左右は車両前後方向に対応し、図１の上下は車両幅方向に対応する。以下、「前」というときは車両１０の前側を指し、図１の左側に対応する。「後」は車両１０の後側を指し、図１の右側に対応する。
【００１７】
バンパーリインフォース１１は車両前方衝突時の衝突荷重を受ける荷重受け部材であり、車両１０の前部で車両幅方向に延びるように配置される。
【００１８】
サイドメンバ９はバンパーリインフォース１１で受けた衝突荷重が伝達される被伝達部材である。サイドメンバ９は車両幅方向の左右に配置され、各サイドメンバ９とバンパーリインフォース１１の間に衝撃吸収機構２が設けられる。
【００１９】
図２は衝撃吸収機構２を示す図である。図２（ａ）は衝撃吸収機構２の水平方向の断面を示す図であり、図２（ｂ）、（ｃ）はそれぞれ図２（ａ）の線ａ−ａ、ｂ−ｂに沿った鉛直方向の断面を示す図である。また図３は被覆１ａを示す斜視図である。
【００２０】
図２に示すように、衝撃吸収機構２は、衝撃吸収材１、ボルト３等を有する。
【００２１】
衝撃吸収材１は木製の柱状部材であり、部材軸方向を車両前後方向（図２（ａ）、（ｂ）の左右方向に対応する）として、部材軸方向の両端部がそれぞれバンパーリインフォース１１側、サイドメンバ９側となるように配置される。本実施形態ではこの部材軸方向が木材の年輪の軸心方向（木材の繊維方向）に対応しているが、これに限ることはない。
【００２２】
衝撃吸収材１は、全面が樹脂などにより被覆される。すなわち、衝撃吸収材１の部材軸方向の側面および両端面が被覆され、被覆１ａにより衝撃吸収材１が外界から保護される。なお、衝撃吸収材１の端面は部材軸方向と直交する面である。
【００２３】
被覆された衝撃吸収材１の前端部はバンパーリインフォース１１に当接し、ブラケット１３によりバンパーリインフォース１１に固定される。
【００２４】
サイドメンバ９の前端部は筒状となっており、被覆された衝撃吸収材１の後端部（一方の端部）はサイドメンバ９（一方の部材）の筒状部分の内部空間に挿入される。
【００２５】
ボルト３は金属製の頭付ボルトであり、衝撃吸収材１の後方に配置される。ボルト３はサイドメンバ９の前端部に連結される棒状の連結材であり、長手方向を鉛直方向（衝撃吸収材１の部材軸方向と直交する方向）として衝撃吸収材１の後端部を横断するように配置される。ボルト３は車両幅方向（図２（ａ）の上下方向に対応する）に２本配置されるが、その本数は特に限定されない。
【００２６】
ここで、衝撃吸収材１の部材軸方向から見た時（図２（ａ）の矢印参照）に、ボルト３とバンパーリインフォース１１（他方の部材）の間では、ボルト３と重複する位置にサイドメンバ９に連結された他のボルト３等が存在せず、このボルト３が衝撃吸収に大きく寄与することとなる。
【００２７】
ボルト３の軸部はサイドメンバ９の下面からサイドメンバ９を貫通し、軸部の先端がナット４によってサイドメンバ９の上面に固定される。これによりボルト３がサイドメンバ９の前端部に連結固定される。
【００２８】
ボルト３の軸部には、バンパーリインフォース１１側に面した平面部５が形成される。本実施形態では、ボルト３の軸部の長手方向と直交する断面（以下、単に断面ということがある）が円の一部を直線で切取った形状となっており、平面部５は当該直線部分に形成される。平面部５はボルト３の軸部を加工して軸部と一体に形成されるが、これに限ることはない。例えば平面部５を有する別部品をボルトの軸部に別途取付けてもよい。
【００２９】
ボルト３は、衝撃吸収材１の被覆された後端面に平面部５が対向するように配置される。衝撃吸収材１の後端面の被覆１ａには、ボルト３の平面部５の車両幅方向の両側に対応する位置に、ボルト３に沿った方向の切込み１５が各１本ずつ設けられる。図３に示すように、切込み１５は衝撃吸収材１の側面（上下面）の被覆１ａまで回り込んで設けられる。
【００３０】
本実施形態では、図４（ａ）の矢印Ａに示す方向に衝突荷重が加わりバンパーリインフォース１１がサイドメンバ９側に押されると、図４（ｂ）に示すように、ボルト３の平面部５が衝撃吸収材１の後端面を前方に押圧し、衝撃吸収材１のうち車両幅方向においてボルト３と対応する位置にある部分に局所的な圧縮が発生して木材が硬化し、圧縮部１９が形成される。このように、本実施形態では衝撃吸収材１の圧縮により衝突荷重が吸収される。衝撃吸収材１のその他の部分（平面部５によって押圧されない部分）は、ボルト３の平面部５によってせん断変形しながらサイドメンバ９の内部に進入する。
【００３１】
ここで、仮に被覆１ａに切込み１５が無い場合、図５（ａ）に示すように衝撃吸収材１の後端面の被覆１ａがサイドメンバ９内に進入した衝撃吸収材１に引張られて伸びる恐れがあり、被覆１ａが弾性域にある間は被覆１ａの引張力Ｔがボルト３に作用してボルト３に加わる荷重が増加する。その後、衝撃吸収材１がサイドメンバ９内に更に進入し、被覆１ａが更に伸びて降伏するとボルト３に加わる荷重は急激に減少する。
【００３２】
一方、本実施形態では被覆１ａに切込み１５を形成していることにより、衝撃吸収材１のせん断時に被覆１ａの切込み１５に応力が集中し、図５（ｂ）に示すように被覆１ａが切込み１５の位置で早期に破断する。従って、ボルト３に加わる荷重が上記のように変動することはない。
【００３３】
図６は、上記の衝突過程におけるバンパーリインフォース１１の変位とボルト３が受ける荷重（衝撃吸収材１の圧縮によって吸収される荷重）の関係を、縦軸を荷重、横軸をバンパーリインフォース１１のサイドメンバ９側への変位として示した図である。
【００３４】
実線２１は本実施形態のように衝撃吸収材１の後端面の被覆１ａに切込み１５を設けた場合（図５（ｂ）参照）であり、上記のように被覆１ａが早期に破断するのでボルト３にはほぼ一定の荷重が加わり、衝突直後から本来の衝突荷重を安定して受け止めることができる。
【００３５】
一方、点線２３は切込みを設けない場合（図５（ａ）参照）であり、被覆１ａの引張り等によりボルト３が受ける荷重に大きな変動が生じて不安定になり、最大荷重が当初の想定より増加する恐れもある。
【００３６】
以上説明したように、第１の実施形態の衝撃吸収機構２は、木材（衝撃吸収材１）を被覆して外界から保護するという構成を有し、これにより衝撃吸収材１の劣化を防ぐことができる。ただし、単に衝撃吸収材１を被覆するというだけでは、上記したように衝撃吸収材１の端面の被覆１ａがサイドメンバ９の内部空間に進入した衝撃吸収材１に引張られてボルト３に加わる荷重を不安定とする要因となり、意図した衝撃吸収がなされない恐れがある。そこで、本実施形態では端面の被覆１ａに前記の切込み１５を設けることで被覆１ａが早期に破断するようにし、ボルト３が受ける荷重が不安定になるのを防いで意図した衝撃吸収を実現することが可能になる。
【００３７】
また本実施形態ではボルト３の平面部５によって大きな衝突荷重を安定して受けとめることができ、衝撃吸収効果が大きくなる。また衝撃吸収材１の端面の被覆１ａも、平面部５の両側の切込み１５の位置で早期に破断させることができる。
【００３８】
しかしながら本発明はこれに限らない。例えば本実施形態では金属製のボルトを連結材として用いているが、連結材はサイドメンバ９に連結されたものであればよく、ボルトに限らずピン等でもよい。その材質も金属に限らず、セラミックなどでもよい。
【００３９】
また連結材の断面形状も本実施形態で説明したものに限らない。例えば図７（ａ）は半円形と矩形とを組み合わせた形状であり、矩形部分に平面部５を有する。また図７（ｂ）、（ｃ）のように断面を多角形状（図７（ｂ）は四角形状、図７（ｃ）は六角形状）として連結材に平面部５を設けることも可能である。
【００４０】
あるいは、平面部５の代わりに凹面部を設けてもよく、平面部５を設けた場合と同様の効果が得られる。例えば図８（ａ）のように円の一部を円弧で切り取った断面形状としたり、図８（ｂ）のように矩形の一部を円弧で切り取った断面形状とするなどして凹面部６を設けることができる。また凹面部６は円弧状に限らず、例えば図８（ｃ）のように矩形の一部を楔形に切り取った断面形状とし、直線によって楔状に形成された凹面部６を設けてもよい。
【００４１】
さらに、連結材に平面部５や凹面部６を設けず、バンパーリインフォース１１側に向かって凸となる断面形状としてもよい。例えば図９の例ではボルト３’（連結材）の断面が円形であり、バンパーリインフォース１１側（図の左側）に向かって凸となる。この場合、各ボルト３’の軸心位置に合わせて１本の切込み１５を設けることで、前記と同様、被覆１ａを早期に破断させることができる。その他、連結材として板材を用いること等も可能である。
【００４２】
また、本実施形態では切込み１５を衝撃吸収材１の側面の被覆１ａまで回り込ませて被覆１ａを破断しやすくしているが、切込み１５は衝撃吸収材１の端面の被覆１ａのみに設けてもよい。
【００４３】
また、本実施形態では切込み１５の長手方向の形状を直線状としているが、切込み１５の長手方向の形状はこれに限らない。例えば図１０（ａ）の切込み１５ａのように三角波形状としたり、図１０（ｂ）の切込み１５ｂのように矩形波状としたり、図１０（ｃ）の切込み１５ｃのように半円を波状に繰り返したものとすることが可能である。また図１０（ｄ）の切込み１５ｄのように長手方向に不連続となるミシン目状とすることも可能である。
【００４４】
また、本実施形態では切込み１５の長手方向と直交する断面を三角形状としているが、切込みの断面形状もこれに限らない。例えば図１１（ａ）の切込み１５ｅのように矩形断面としたり、図１１（ｂ）の切込み１５ｆのように直線状の断面としたり、図１１（ｃ）の切込み１５ｇのように半円形の断面としたりすることが可能である。
【００４５】
切込みの位置での被覆１ａの破断は単純な引張りによるものでなく局所的なせん断破壊等を含む場合があり、それらのモードに合わせて上記のように切込みの長手方向の形状や断面形状を定めることで、被覆１ａがより破断しやすくなる可能性がある。例えば局所的なせん断破壊が卓越する場合は図１０（ａ）〜（ｄ）のように切込みを波状やミシン目状とすることで被覆１ａが破断しやすくなる可能性があり、また図１１（ａ）の切込み１５ｅのように断面形状を矩形とすると、応力集中部が増大することにより被覆１ａが破断しやすくなる可能性がある。
【００４６】
以下、本発明の別の例について、第２の実施形態として説明する。第２の実施形態は第１の実施形態と異なる点について説明し、同様の構成については図等で同じ符号を付すなどして説明を省略する。また、第１、第２の実施形態で説明する構成は必要に応じて組み合わせることができる。
【００４７】
［第２の実施形態］
図１２は本発明の第２の実施形態の衝撃吸収機構２ａを示す図である。図１２（ａ）は衝撃吸収機構２ａの水平方向の断面を図２（ａ）と同様に示す図であり、図１２（ｂ）、（ｃ）はそれぞれ図１２（ａ）の線ｃ−ｃ、ｄ−ｄに沿った鉛直方向の断面を示す図である。
【００４８】
この衝撃吸収機構２ａは、衝撃吸収材１のせん断による衝撃吸収を行う点で第１の実施形態と異なる。
【００４９】
すなわち、衝撃吸収機構２ａでは、被覆された衝撃吸収材１の前端部（他方の端部）が筒状のバンパーリインフォース１１ａの後壁に設けられた開口１１０からバンパーリインフォース１１ａ（他方の部材）の内部空間に挿入される。衝撃吸収材１の被覆された前端面とバンパーリインフォース１１ａの前壁の間には隙間が設けられる。
【００５０】
衝撃吸収機構２ａは、第１の実施形態の衝撃吸収機構２の構成に加え、バンパーリインフォース１１ａに連結されるボルト３（連結材）を更に有する。当該ボルト３は衝撃吸収材１の前方に設けられ、長手方向を鉛直方向（衝撃吸収材１の部材軸方向と直交する方向）として衝撃吸収材１の前端部を横断するように配置される。
【００５１】
当該ボルト３の軸部はバンパーリインフォース１１ａの下面からバンパーリインフォース１１ａを貫通し、軸部の先端がナット４によってバンパーリインフォース１１ａの上面に固定される。当該ボルト３はサイドメンバ９側に平面部５が位置するように配置される。
【００５２】
また、部材軸方向から見た時（図１２（ａ）の矢印参照）に、衝撃吸収材１の前後のボルト３は異なる位置に配置され、これらの平面部５同士が向き合わないようになっている。さらに、部材軸方向から見た時に、衝撃吸収材１の前方のボルト３とサイドメンバ９の間では、衝撃吸収材１の前方のボルト３と重複する位置にバンパーリインフォース１１ａに連結された他のボルト３等が存在しない。
【００５３】
なお、バンパーリインフォース１１ａの前壁において衝撃吸収材１の後方のボルト３と車両幅方向に対応する位置には開口１１１が形成される。
【００５４】
衝撃吸収材１の後端面の被覆１ａには、衝撃吸収材１の後方のボルト３の平面部５の片側に対応する位置に、当該ボルト３に沿った方向の切込み１５が設けられる。切込み１５は、部材軸方向から見た時に衝撃吸収材１の前後のボルト３の間となる位置に設けられる。
【００５５】
衝撃吸収材１の前端面の被覆１ａには、衝撃吸収材１の前方のボルト３の平面部５の両側に対応する位置に、当該ボルト３に沿った方向の切込み１５が各１本ずつ設けられる。これらの切込み１５も、部材軸方向から見た時に衝撃吸収材１の前後のボルト３の間となる位置に設けられる。
【００５６】
本実施形態では、図１３の矢印Ａに示すように衝突荷重が加わりバンパーリインフォース１１ａがサイドメンバ９側に押されると、衝突初期に衝撃吸収材１の後方のボルト３がその平面部５により衝撃吸収材１の後端面の一部を前方に押圧し、衝撃吸収材１の前方のボルト３がその平面部５により衝撃吸収材１の前端面の一部を後方に押圧して、衝撃吸収材１の前後のボルト３の車両幅方向の間で衝撃吸収材１のせん断が誘発される。
【００５７】
そして、衝撃吸収材１の前方のボルト３と車両幅方向に対応する位置の衝撃吸収材１−１は、サイドメンバ９の内部を後方に進む。一方、衝撃吸収材１の後方のボルト３と車両幅方向において対応する位置の衝撃吸収材１−２は、バンパーリインフォース１１ａ内を開口１１１に向かって前方に進む。
【００５８】
第２の実施形態では、せん断の発生によって衝撃が吸収され、サイドメンバ９側に伝達される衝突荷重を軽減することができる。この場合も、衝撃吸収材１の前端面と後端面の被覆１ａは切込み１５によって早期に破断し、被覆１ａの引張り等によってボルト３に加わる荷重が不安定になることが無く、意図した衝撃吸収が実現できる。
【００５９】
以上、添付図面を参照しながら、本発明に係る好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【００６０】
例えば前記の各実施形態では車両１０のバンパーリインフォースとサイドメンバの間に衝撃吸収機構を設置しているが、衝撃吸収機構は車両１０において衝突時の荷重を受ける荷重受け部材と当該荷重が伝達される被伝達部材の間に設ければよく、バンパーリインフォースとサイドメンバの間に設けるものに限らない。例えば車両側突時の衝突荷重を軽減することを目的として、車両側部のボディー本体と車両内部のバッテリーケース等の間に設けてもよい。また車両１０の種類も特に限定されない。
【符号の説明】
【００６１】
１：衝撃吸収材
１ａ：被覆
２、２ａ：衝撃吸収機構
３、３'：ボルト
４：ナット
５：平面部
６：凹面部
９：サイドメンバ
１０：車両
１１、１１ａ：バンパーリインフォース
１３：ブラケット
１５、１５ａ、１５ｂ、１５ｃ、１５ｄ、１５ｅ、１５ｆ、１５ｇ：切込み
１９：圧縮部
【図１】
2020085126.tif 000003
【図２】
2020085126.tif 000004
【図３】
2020085126.tif 000005
【図４】
2020085126.tif 000006
【図５】
2020085126.tif 000007
【図６】
2020085126.tif 000008
【図７】
2020085126.tif 000009
【図８】
2020085126.tif 000010
【図９】
2020085126.tif 000011
【図１０】
2020085126.tif 000012
【図１１】
2020085126.tif 000013
【図１２】
2020085126.tif 000014
【図１３】
2020085126.tif 000015